(57)【要約】      （修正有）【課題】釣糸結索部材を穂先竿に強固に固定可能な釣竿を提供する。【解決手段】釣竿１は、中心軸Ｘに沿った軸方向に延びる穂先竿２０と、穂先竿２０の前端に設けられた釣糸結索部材１０と、釣糸結索部材１０を穂先竿２０に固定するための固定ピン３０と、を備える。釣糸結索部材１０は、穂先竿２０の前端に設けられる竿ホルダー１０ｂと、竿ホルダー１０ｂの前端に設けられ、竿ホルダー１０ｂの外径よりも小径の外径を有する小径部１０ａと、小径部１０ａの前端に設けられ、小径部１０ａの外径よりも大径の外径を有するカラー１０ｃと、を有する。穂先竿２０の軸方向における第１の位置には、軸方向と垂直な径方向に延びる第１竿貫通孔が形成されており、竿ホルダー１０ｂの前記第１竿貫通孔と対応する位置には径方向に延びる第１ホルダー貫通孔が形成されている。固定ピン３０は、前記第１竿貫通孔及び前記第１ホルダー貫通孔に亘って延在している。【選択図】図２
2020048457.tif 000002
【特許請求の範囲】
【請求項１】
中心軸に沿った軸方向に延びる穂先竿と、
前記穂先竿の前端に設けられた釣糸結索部材と、
前記釣糸結索部材を前記穂先竿に固定するための固定ピンと、
を備え、
前記釣糸結索部材は、
前記穂先竿の前端に設けられる竿ホルダーと、
前記竿ホルダーの前端に設けられ、前記竿ホルダーの外径よりも小径の外径を有する小径部と、
前記小径部の前端に設けられ、前記小径部の外径よりも大径の外径を有するカラーと、
を有し、
前記穂先竿の軸方向における第１の位置には、前記軸方向と垂直な径方向に延びる第１竿貫通孔が形成されており、
前記竿ホルダーの前記第１竿貫通孔と対応する位置には前記径方向に延びる第１ホルダー貫通孔が形成されており、
前記固定ピンは、前記第１竿貫通孔及び前記第１ホルダー貫通孔に亘って延在している、
釣竿。
【請求項２】
前記竿ホルダーは、前記穂先竿に外嵌される、
請求項１に記載の釣竿。
【請求項３】
前記竿ホルダーは、その内周面が前記穂先竿の外周面と前記軸方向における第１長さに亘って接するように設けられており、
前記第１竿貫通孔及び前記第１ホルダー貫通孔は、前記穂先竿の前端から前記第１長さの２分の１の位置よりも前に形成されている、
請求項２に記載の釣竿。
【請求項４】
前記固定ピンは、その外径が、前記穂先竿の外径の２分の１以下である、
請求項１から請求項３のいずれか１項に記載の釣竿。
【請求項５】
前記穂先竿には、前記径方向に延びる第２竿貫通孔が形成されており、
前記第２竿貫通孔は、前記第１竿貫通孔と前記中心軸に対して対称な位置に形成されており、
前記固定ピンは、前記第１竿貫通孔、前記第２竿貫通孔、及び前記第１ホルダー貫通孔に亘って延在している、
請求項１から請求項４のいずれか１項に記載の釣竿。
【請求項６】
前記竿ホルダーの前記第２竿貫通孔と対応する位置には前記径方向に延びる第２ホルダー貫通孔が形成されており、
前記固定ピンは、前記第１竿貫通孔、前記第２竿貫通孔、前記第１ホルダー貫通孔、及び前記第２ホルダー貫通孔に亘って延在している、
請求項５に記載の釣竿。
【請求項７】
前記竿ホルダーの内周面の前記第２竿貫通孔と対応する位置には前記径方向に凹んでいるホルダー凹部が形成されており、
前記固定ピンは、前記第１竿貫通孔、前記第２竿貫通孔、前記第１ホルダー貫通孔、及び前記ホルダー凹部に亘って延在している、
請求項５に記載の釣竿。
【請求項８】
前記穂先竿は、中空に形成されている、
請求項１から請求項６のいずれか１項に記載の釣竿。
【請求項９】
前記穂先竿は、中空に形成されており、
前記穂先竿の内部には、芯材が設けられており、
前記芯材の前記第１貫通孔と対応する位置には芯材貫通孔が形成されており、
前記固定ピンは、前記第１竿貫通孔、前記第２竿貫通孔、前記第１ホルダー貫通孔、前記第２ホルダー貫通孔、及び前記芯材貫通孔に亘って延在している、
請求項６に記載の釣竿。
【請求項１０】
前記穂先竿は、中空に形成されており、
前記穂先竿の内部には、芯材が設けられており、
前記芯材の前記第１貫通孔と対応する位置には前記径方向に凹んでいる芯材凹部が形成されており、
前記固定ピンは、前記第１竿貫通孔、前記第１ホルダー貫通孔、及び前記芯材凹部に亘って延在している、
請求項１から請求項８のいずれか１項に記載の釣竿。
【請求項１１】
前記固定ピンは、前記第１竿貫通孔及び前記第１ホルダー貫通孔に締結されるネジである、
請求項１から請求項１０のいずれか１項に記載の釣竿。
【発明の詳細な説明】
【技術分野】
【０００１】
本発明は、穂先に釣糸結索部材が設けられた釣竿に関する。
【背景技術】
【０００２】
釣り竿の穂先竿に取り付けられる従来の釣糸結索部材は、穂先竿に装着される竿ホルダーと、当該竿ホルダーの前端に設けられた小径部と、当該小径部の前端に設けられたカラーと、を備える。小径部は、竿ホルダー及びカラーよりも小径に形成されている。釣糸は、この小径部に結びつけられる。これにより、竿ホルダーの前端面とカラーの後端面との間に釣り糸が保持される。このような従来の釣糸結索部材は、例えば、特開平９−０７４９５３号公報、特開平１０−０４２７４９号公報、特開２００８−２７８８４１号公報、特開２００８−１７８３１１号公報、及び特開２０１７−２１６９０６号公報に開示されている。
【先行技術文献】
【特許文献】
【０００３】
【特許文献１】特開平９−０７４９５３号公報
【特許文献２】特開平１０−０４２７４９号公報
【特許文献３】特開２００８−２７８８４１号公報
【特許文献４】特開２００８−１７８３１１号公報
【特許文献５】特開２０１７−２１６９０６号公報
【発明の概要】
【発明が解決しようとする課題】
【０００４】
釣竿の使用時には、釣糸結索部材に対して釣糸から前方に引っ張る力が作用する。従来の釣糸結索部材は、穂先竿の前端に接着により固定されることが多い。接着力が十分でない場合には、釣糸結索部材が穂先竿から脱落してしまうという問題がある。
【０００５】
上記特許文献３では、穂先竿の軸方向の所定の位置に溝を形成し、この穂先竿に外嵌された釣糸結索部材にカシメ処理を行うことにより、当該釣糸結索部材を穂先竿に固定している。しかしながら、穂先竿及び釣糸結索部材は、当該溝が形成された位置において小径となるため、当該溝の位置において強度が劣化するという問題が生じる。他方、強度を確保するために溝が形成された位置の径を大きくすると、穂先竿及び釣糸結索部材の溝が形成されていない部位も大径化することとなるため、釣竿の重量が増加するという問題が生じる。このように、カシメ処理によって釣糸結索部材を穂先竿に固定すると、強度の劣化または高重量化という問題が生じる。
【０００６】
以上のように、カシメ処理以外の手法により釣糸結索部材を穂先竿に強固に固定可能な釣竿が求められている。本発明の目的の一つは、釣糸結索部材を穂先竿に強固に固定可能な新規な釣竿を提供することである。本発明のこれら以外の目的は、本明細書全体を参照することにより明らかとなる。
【課題を解決するための手段】
【０００７】
本発明の一実施形態による釣竿は、中心軸に沿った軸方向に延びる穂先竿と、前記穂先竿の前端に設けられた釣糸結索部材と、前記釣糸結索部材を前記穂先竿に固定するための固定ピンと、を備える。前記釣糸結索部材は、前記穂先竿の前端に設けられる竿ホルダーと、前記竿ホルダーの前端に設けられ、前記竿ホルダーの外径よりも小径の外径を有する小径部と、前記小径部の前端に設けられ、前記小径部の外径よりも大径の外径を有するカラーと、を有する。前記穂先竿の軸方向における第１の位置には、前記軸方向と垂直な径方向に延びる第１竿貫通孔が形成されており、前記竿ホルダーの前記第１竿貫通孔と対応する位置には前記径方向に延びる第１ホルダー貫通孔が形成されている。前記固定ピンは、前記第１竿貫通孔及び前記第１ホルダー貫通孔に亘って延在している。
【０００８】
本発明の一実施形態において、前記竿ホルダーは、前記穂先竿に外嵌される。
【０００９】
本発明の一実施形態において、前記竿ホルダーは、その内周面が前記穂先竿の外周面と前記軸方向における第１長さに亘って接するように設けられており、前記第１竿貫通孔及び前記第１ホルダー貫通孔は、前記穂先竿の前端から前記第１長さの２分の１の位置よりも前に形成されている。
【００１０】
本発明の一実施形態において、  前記固定ピンは、その外径が、前記穂先竿の外径の２分の１以下である。
【００１１】
本発明の一実施形態において、  前記穂先竿には、前記径方向に延びる第２竿貫通孔が形成されており、前記第２竿貫通孔は、前記第１竿貫通孔と前記中心軸に対して対称な位置に形成されており、前記固定ピンは、前記第１竿貫通孔、前記第２竿貫通孔、及び前記第１ホルダー貫通孔に亘って延在している。
【００１２】
本発明の一実施形態において、  前記竿ホルダーの前記第２竿貫通孔と対応する位置には前記径方向に延びる第２ホルダー貫通孔が形成されており、前記固定ピンは、前記第１竿貫通孔、前記第２竿貫通孔、前記第１ホルダー貫通孔、及び前記第２ホルダー貫通孔に亘って延在している。
【００１３】
本発明の一実施形態において、前記竿ホルダーの内周面の前記第２竿貫通孔と対応する位置には前記径方向に凹んでいるホルダー凹部が形成されており、前記固定ピンは、前記第１竿貫通孔、前記第２竿貫通孔、前記第１ホルダー貫通孔、及び前記ホルダー凹部に亘って延在している。
【００１４】
本発明の一実施形態において、前記穂先竿は、中空に形成されている。
【００１５】
本発明の一実施形態において、  前記穂先竿の内部には、芯材が設けられており、前記芯材の前記第１貫通孔と対応する位置には芯材貫通孔が形成されており、前記固定ピンは、前記第１竿貫通孔、前記第２竿貫通孔、前記第１ホルダー貫通孔、前記第２ホルダー貫通孔、及び前記芯材貫通孔に亘って延在している。
【００１６】
本発明の一実施形態において、前記穂先竿の内部には、芯材が設けられており、前記芯材の前記第１貫通孔と対応する位置には前記径方向に凹んでいる芯材凹部が形成されており、前記固定ピンは、前記第１竿貫通孔、前記第１ホルダー貫通孔、及び前記芯材凹部に亘って延在している。
【００１７】
本発明の一実施形態において、  前記固定ピンは、前記第１竿貫通孔及び前記第１ホルダー貫通孔に締結されるネジである。
【発明の効果】
【００１８】
本発明の実施形態によって、穂先竿を小径化することなく釣糸結索部材を当該穂先竿に強固に固定することができる。
【図面の簡単な説明】
【００１９】
【図１】本発明の一実施形態による釣竿の一部を示す側面図である。
【図２】図１の釣竿を中心軸Ｘを通る平面で切断した断面を示す断面図である。
【図３】本発明の別の実施形態による釣竿の一部を示す断面図である。
【図４】本発明の別の実施形態による釣竿の一部を示す断面図である。
【図５】本発明の別の実施形態による釣竿の一部を示す断面図である。
【発明を実施するための形態】
【００２０】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００２１】
図１及び図２を参照して、本発明の一実施形態に係る釣竿について説明する。図１は、本発明の一実施形態に係る釣竿が有する穂先部材を示す側面図であり、図２は、図１の穂先部材を中心軸Ｘを通る平面で切断した断面を示す断面図である。図示のように、本発明の一実施形態に係る釣竿１は、不図示の手元竿と、この手元竿の前端に設けられる穂先竿２０と、この穂先竿２０の前端に設けられる釣糸結索部材１０と、を有する。穂先歩竿２０と手元竿とは一体に形成されてもよい。また、釣竿１は、手元竿及び穂先竿２０以外の竿体を有していても良い。穂先竿２０、手元竿、及びこれら以外の釣竿１の一部となる竿体は、中心軸Ｘに沿った軸方向に延びている。釣糸結索部材１０は、穂先竿２０の前端（穂先側端部）に装着される。
【００２２】
穂先竿２０は、振出式の釣り竿において最も前側（穂先側）に設けられる竿体である。穂先竿２０は、後述するように、不使用時（例えば、運搬時や保管時）には手元竿に収容され、使用時には当該手元竿から引き出される。穂先竿２０は、例えば繊維強化樹脂から中空の筒状に形成される。穂先竿２０は、中実の棒状に形成されてもよい。穂先竿２０は、後側に向かうに従って拡径するように形成されてもよい。穂先竿２０は、外径Ｄ１を有する。穂先竿２０の外径が中心軸Ｘ方向の位置によって異なる場合には、穂先竿の前端における外径と、当該前端から所定長さだけ中心軸Ｘ方向後方にある一または複数の位置における外径との平均を穂先竿２０の外径Ｄ１とすることができる。
【００２３】
図１の釣糸結索部材１０及び穂先竿２０は、紙面に向かって右が釣り竿の穂先側で、紙面に向かって左が釣り竿の竿尻側となるように描かれている。本明細書においては、釣糸結索部材１０及び穂先竿２０の方向について言及する場合には、穂先側（つまり、図１の右側）を「前」あるいは「先」といい、竿尻側（つまり、図１の左側）を「後」あるいは「元」という。この用法に従えば、穂先竿２０を収容する元側の竿体は、釣り竿の使用時において当該穂先竿よりも後側に配置される竿体を意味する。
【００２４】
本発明の一実施形態に係る釣糸結索部材１０は、図示のとおり、釣り糸が結びつけられる小径部１０ａと、この小径部１０ａの後端に設けられた竿ホルダー１０ｂと、小径部１０ａの前端に設けられたカラー１０ｃと、を有する。釣糸結索部材１０は、金属材料又は非金属材料から形成される。釣糸結索部材１０を形成するための金属材料として、例えば、ステンレス、アルミニウム、チタン、又はこれらの合金が用いられ得る。釣糸結索部材１０を形成するための非金属材料として、例えば、繊維強化樹脂を用いることができる。釣糸結索部材１０は、金型成型によりその全体を一体成型してもよいし、別個に製作された複数の部品を接合することで作製してもよい。例えば、釣糸結索部材１０は、小径部１０ａと竿ホルダー１０ｂとを別体の部品として製作し、この小径部１０ａに相当する部品を竿ホルダー１０ｂに相当する部品に取り付けても良い。このとき、小径部１０ａは、竿ホルダー１０ｂに対して接着されてもよいし、竿ホルダー１０ｂにその軸線周りに回転可能に支持されるように取り付けられてもよい。小径部１０ａに相当する部品が竿ホルダー１０ｂに相当する部品に回転可能に支持されている穂先部材の例は、特開２００８−２７８８４１号公報に開示されている（図２参照）。釣糸結索部材１０は、その全体を同一の材料から形成してもよいし、各構成要素を互いと異なる材料から形成してもよい。例えば、小径部１０ａ及びカラー１０ｃを金属材料から形成する一方、竿ホルダー１０ｂを繊維強化樹脂から形成してもよい。
【００２５】
竿ホルダー１０ｂは、後側が開口し前側が閉塞された筒状に形成される。竿ホルダー１０ｂは、この後側の開口部１０ｂ１に、穂先竿２０の前端を受け入れる。言い換えれば、竿ホルダー１０ｂは、穂先竿２０に外嵌される。このように、釣糸結索部材１０は、竿ホルダー１０ｂを介して穂先竿２０に装着される。開口部１０ｂ１は、深さＬを有する。穂先竿２０は、その前端が開口部１０ｂ１の底１０ｂ２に接するように、開口部１０ｂ１に挿入される。よって、竿ホルダー１０ｂは、その内周面が穂先竿２０の外周面と長さＬに亘って接している。長さＬは、第１長さの例である。竿ホルダー１０ｂは、その外周面が図示のように前側に向かって拡径するように形成されてもよい。竿ホルダー１０ｂは、その全長にわたってほぼ同一の外径を有するように構成されてもよい。
【００２６】
小径部１０ａは、少なくともその前端の径がカラー１０ｃの後端の径よりも小さくなるように形成される。本発明の一実施形態において、小径部１０ａは、その全長にわたって竿ホルダー１０ｂの前端の径よりも小さな径を有するように形成される。
【００２７】
本発明の一実施形態において、カラー１０ｃは、中心軸ｘを通る平面で切断したときに四隅が面取りされた長方形形状を有するように形成される。本発明の一実施形態において、カラー１０ｃは、竿ホルダー１０ｂの前端の径よりも小さな径を有するように形成される。カラー１０ｃの径が軸方向において変化する場合には、カラー１０ｃは、その径の最大値が竿ホルダー１０ｂの前端の径よりも小さくなるように形成される。カラー１０ｃの形状は、本発明の趣旨を逸脱しない限り任意に変更することができる。
【００２８】
このように構成された釣糸結索部材１０においては、小径部１０ａの外周面と、竿ホルダー１０ｂの前端面１０ｄとカラー１０ｃの後端面１０ｅとにより、中心軸Ｘ周りの周方向に延びる環状の溝１０ｆが画定される。小径部１０ａの外周面に結びつけられた釣り糸Ｔの移動は、この溝１０ｆ内に制約される。例えば、小径部１０ａの外周面に結びつけられた釣り糸Ｔが前方へ引っ張られても、カラー１０ｃの後端面１０ｅによって釣り糸Ｔの当該後端面１０ｅより前方への移動は規制される。
【００２９】
本発明の一実施形態において、竿ホルダーの１０ｂの前端面１０ｄの外周縁は面取りされる。これにより、竿ホルダーの１０ｂの前端面１０ｄの外周縁には、湾曲部１０ｇが形成される。
【００３０】
竿ホルダー１０ｂにおいて、中心軸Ｘ方向における位置Ｐ１には、中心軸Ｘに垂直な径方向な方向に延びる貫通孔１０ｈ及び貫通孔１０ｉが設けられている。貫通孔１０ｉは、中心軸Ｘ方向において貫通孔１０ｈに対応する位置（つまり、中心軸Ｘ方向における位置Ｐ１）に設けられている。言い換えれば、貫通孔１０ｉは、中心軸Ｘに対して貫通孔１０ｈと対象な位置に設けられている。貫通孔１０ｈ及び貫通孔１０ｉはいずれも中心軸Ｘに垂直な径方向に延伸している。貫通孔１０ｈ及び貫通孔１０ｉが延伸する方向は、中心軸Ｘに対して厳密に垂直である必要はない。本明細書において、貫通孔１０ｈ及び貫通孔１０ｉが中心軸Ｘに対して垂直に延びるという場合には、貫通孔１０ｈ及び貫通孔１０ｉが延伸する方向と中心軸Ｘとが為す角度は丁度９０°であってもよいし、９０°から１０°程度傾いていても良い。言い換えると、貫通孔１０ｈ及び貫通孔１０ｉが延伸する方向が中心軸Ｘ方向となす角度は８０°から１００°の範囲内にある。貫通孔１０ｈは第１竿貫通孔の例であり、貫通孔１０ｉは第２竿貫通孔の例である。
【００３１】
穂先竿２０において、中心軸Ｘ方向における位置Ｐ１には、中心軸Ｘに垂直な径方向な方向に延びる貫通孔２０ａ及び貫通孔２０ｂが設けられている。貫通孔２０ａ及び貫通孔２０ｂは、中心軸Ｘ方向において、竿ホルダー１０ｂに設けられている貫通孔１０ｈ及び貫通孔１０ｉに対応する位置Ｐ１に設けられている。貫通孔２０ａ及び貫通孔２０ｂはいずれも中心軸Ｘに垂直な径方向に延伸している。
【００３２】
貫通孔１０ｈ、貫通孔１０ｉ、貫通孔２０ａ及び貫通孔２０ｂが延伸する方向は、中心軸Ｘに対して厳密に垂直である必要はない。本明細書において、貫通孔１０ｈ、貫通孔１０ｉ、貫通孔２０ａ及び貫通孔２０ｂが中心軸Ｘに対して垂直に延びるという場合には、貫通孔１０ｈ、貫通孔１０ｉ、貫通孔２０ａ及び貫通孔２０ｂが延伸する方向と中心軸Ｘとが為す角度は丁度９０°であってもよいし、９０°から１０°程度傾いていても良い。言い換えると、貫通孔１０ｈ、貫通孔１０ｉ、貫通孔２０ａ及び貫通孔２０ｂが延伸する方向が中心軸Ｘ方向となす角度は８０°から１００°の範囲内にある。貫通孔１０ｈは第１ホルダー貫通孔の例であり、貫通孔１０ｉは第２ホルダー貫通孔の例である。貫通孔２０ａは第１竿貫通孔の例であり、貫通孔２０ｂは第２竿貫通孔の例である。
【００３３】
位置Ｐ１は、図示のように、開口部１０ｂ１の底１０ｂ２から、開口部１０ｂ１の深さＬの１／２だけ後方にある位置Ｐ２よりも前方にある。よって、貫通孔１０ｈ、貫通孔１０ｉ、貫通孔２０ａ及び貫通孔２０ｂは、開口部１０ｂ１の底１０ｂ２から１／２Ｌだけ後方にある位置Ｐ２よりも中心軸Ｘ方向の前方に設けられる。位置Ｐ１は、開口部１０ｂ１の底１０ｂ２から、開口部１０ｂ１の深さＬの１／３だけ後方にある位置よりも前方に設けられても良い。
【００３４】
釣竿１には、貫通孔１０ｈ、貫通孔１０ｉ、貫通孔２０ａ及び貫通孔２０ｂを貫く固定ピン３０が設けられている。固定ピン３０は、釣糸結索部材１０を穂先竿２０に固定するための棒状の部材である。固定ピン３０は、金属製であってもよく樹脂製であってもよい。固定ピン３０は、その側面の一部を介して、竿ホルダー１０ｂの貫通孔１０ｈ及び貫通孔１０ｉを画定する部位、並びに、穂先竿２０の貫通孔２０ａ及び貫通孔２０ｂを画定する部位に接着されてもよい。固定ピン３０は、貫通孔１０ｈ、貫通孔１０ｉ、貫通孔２０ａ及び貫通孔２０ｂに挿入されている。言い換えれば、固定ピン３０は、径方向において、ｆ貫通孔１０ｈ、貫通孔２０ａ、貫通孔２０ｂ、及び貫通孔１０ｉを含む領域に延在している。固定ピン３０は、その外径Ｄ２が穂先竿２０の外径Ｄ１の１／２以下となるように構成される。
【００３５】
一実施形態において、竿ホルダー１０ｂの外周面には、糸４０が巻き付けられてもよい。糸４０は、竿ホルダー１０ｂの後端よりも中心軸Ｘ方向において後側の位置Ｐ３から竿ホルダー１０ｂの前端まで、竿ホルダー１０ｂの外周面に巻かれる。この糸４０により、釣糸結索部材１０は、より強固に穂先竿２０に固定される。また、糸４０により、竿ホルダー１０ｂの貫通孔１０ｈ及び貫通孔１０ｉを径方向外側から覆うことができる。これにより、貫通孔１０ｈ及び貫通孔１０ｉへの異物の侵入を防止できる。糸４０は、竿ホルダー１０ｂの外周面に２層以上巻き付けられても良い。
【００３６】
一実施形態において、竿ホルダー１０ｂの外周面には、コーティング層５０が設けられる。竿ホルダー１０ｂの外周面に糸４０が巻き付けられている場合には、コーティング層５０は、糸４０の径方向外側に設けられても良い。コーティング層５０は、例えばエポキシ樹脂、ウレタン樹脂等の透明または半透明の合成樹脂を竿ホルダー１０ｂの外周面に塗布することにより形成される。
【００３７】
次に、図３を参照して、本発明の別の実施形態による釣竿１０１について説明する。釣竿１０１は、芯材６０を有する点で釣竿１と異なっている。釣竿１０１において釣竿１と共通する点については説明を省略する。
【００３８】
図示のように、釣竿１０１は、穂先竿２０の内部に設けられた中実の芯材６０を有する。芯材６０は、中空に形成されてもよい。芯材６０は、穂先竿２０の前端（すなわち、開口部１０ｂ１の底１０ｂ２）から竿ホルダー１０ｂの後端よりやや後方の位置まで延伸している。図示の実施形態において、芯材６０の後端６０ｂは、竿ホルダー１０ｂの後端よりもＬ１だけ中心軸Ｘに沿って後方に位置している。この場合、芯材６０の中心軸Ｘに沿う長さはＬ＋Ｌ１とされる。芯材６０の後端６０ｂは、竿ホルダー１０ｂの後端よりも中心軸Ｘ方向の前方にあってもよい。芯材６０は、例えば、繊維強化樹脂、ＡＢＳ、金属、又はこれら以外の材料から形成される。芯材６０は、穂先竿２０の内周面に接着剤により固定されてもよい。
【００３９】
芯材６０において、中心軸Ｘ方向において竿ホルダー１０ｂに設けられている貫通孔１０ｈ及び貫通孔１０ｉ並びに穂先竿２０に設けられている貫通孔２０ａ及び貫通孔２０ｂに対応する位置（すなわち、位置Ｐ１）に貫通孔６０ａが設けられている。貫通孔６０ａは、位置Ｐ１において、芯材６０を径方向に貫通する。固定ピン３０は、貫通孔１０ｈ、貫通孔１０ｉ、貫通孔２０ａ、貫通孔２０ｂ、及び貫通孔６０ａを貫くように設けられる。言い換えれば、固定ピン３０は、径方向において、貫通孔１０ｈ、貫通孔２０ａ、貫通孔６０ａ、貫通孔２０ｂ、及び貫通孔１０ｉを含む領域に延在している。貫通孔６０ａは、芯材貫通孔の例である。
【００４０】
一実施形態において、貫通孔６０には、貫通孔６０ａに代えて、芯材６０の外周面から径方向内方に凹む凹部が設けられても良い。この凹部は、芯材６０の外周面のうち貫通孔２０ａと対向する領域に設けられる。この場合、固定ピン３０は、径方向において、貫通孔１０ｈ、貫通孔２０ａ、及び芯材６０の凹部を含む領域に延在する。貫通孔６０に凹部が設けられる場合には、貫通孔２０ｂ及び貫通孔１０ｉは不要となる。
【００４１】
次に、図４を参照して、本発明の別の実施形態による釣竿２０１について説明する。釣竿２０１は、固定ピン３０に代えてネジ７０により釣糸結索部材１０を穂先竿２０に固定している点で釣竿１と異なっている。釣竿２０１において釣竿１と共通する点については説明を省略する。
【００４２】
図示のように、釣竿１０１において、釣糸結索部材１０にはネジ穴１０ｊが設けられており、穂先竿２０にはネジ穴２０ｃが設けられている。ネジ穴１０ｊ及びネジ穴２０ｃは、互いと対向する位置に設けられる。例えば、ネジ穴１０ｊ及びネジ穴２０ｃは、中心軸Ｘ方向における位置Ｐ１に設けられる。このネジ穴１０ｊ及びネジ穴２０ｃにはネジ７０が締結される。
【００４３】
穂先竿２０のネジ穴２０ｃと中心軸Ｘに対して対称な位置にもネジ穴が設けられていても良い。つまり、穂先竿２０において、ネジ穴２０ｃから中心軸周りに１８０°回転した位置にネジ穴２０ｃとは別の第２ネジ穴が設けられても良い。ネジ７０は、ネジ穴１０ｊ及びネジ穴２０ｃに加えて、この第２ネジ穴にも締結されてもよい。
【００４４】
釣糸結索部材１０のネジ穴１０ｊと中心軸Ｘに対して対称な位置にもネジ穴が設けられていても良い。つまり、釣糸結索部材１０において、ネジ穴１０ｊから中心軸周りに１８０°回転した位置にネジ穴１０ｊとは別の第３ネジ穴が設けられても良い。ネジ７０は、ネジ穴１０ｊ、ネジ穴２０ｃ、及び第２ネジ穴に加えて、この第３ネジ穴にも締結されてもよい。
【００４５】
次に、図５を参照して、本発明の別の実施形態による釣竿３０１について説明する。釣竿３０１は、釣糸結索部材１０に、貫通孔１０ｉに代えて有底の凹部１０ｋが設けられており、固定ピン３０に代えて固定ピン１３０により釣糸結索部材１０を穂先竿２０に固定している点で釣竿１と異なっている。釣竿３０１において釣竿１と共通する点については説明を省略する。
【００４６】
図示のように、釣竿３０１の釣糸結索部材１０の内周面には、径方向外方に向けて凹む
凹部１０ｋが設けられている。凹部１０ｋは、中心軸Ｘ方向において貫通孔１０ｈ、貫通孔２０ａ、及び貫通孔２０ｂと同じ（つまり、位置Ｐ１）に設けられる。凹部１０ｋは、固定ピン１３０の一端を受け入れることができる形状及び大きさに形成される。
【００４７】
固定ピン１３０は、固定ピン３０よりも若干短い長さを有する。固定ピン１３０は、径方向において、貫通孔１０ｈ、貫通孔２０ａ、貫通孔２０ｂ、及び凹部１０ｋを含む領域に延在する。
【００４８】
続いて、上記の実施形態が奏する作用効果について説明する。上記の一実施形態においては、貫通孔１０ｈ、貫通孔１０ｉ、貫通孔２０ａ及び貫通孔２０ｂに挿入されている固定ピン３０によって釣糸結索部材１０を穂先竿２０に固定することができる。固定ピン３０は径方向において釣糸結索部材１０及び穂先竿２０に亘る領域に延在しているので、釣糸結索部材１０の穂先竿２０からの脱落が確実に防止される。また、カシメ処理を行っていないため、釣糸結索部材１０及び穂先竿２０には、釣糸結索部材１０の固定用の小径部を設ける必要がない。したがって、上記の一実施形態によれば、釣糸結索部材１０及び穂先竿２０の強度を低下させることなく釣糸結索部材１０を穂先竿２０に確実に固定することができる。
【００４９】
上記の一実施形態によれば、固定ピン３０は、穂先竿２０の前端から穂先竿２０の開口部１０ｂ１の深さＬ１の２分の１のだけ後方にある位置よりも前方に設けられている。釣竿１において、固定ピン３０が設けられている部位は、その前後の部位と比べて曲げ剛性が大きく異なる。一般に、釣竿においては、中心軸Ｘ方向における曲げ剛性のプロファイルが緻密に設計される。固定ピン３０を上記の位置に設けることにより、固定ピン３０が釣竿１の曲げ剛性に与える影響を抑制することができる。
【００５０】
上記の一実施形態において、固定ピン３０は、その外径Ｄ２が、穂先竿２０の外径Ｄ１の２分の１以下となるように構成される。つまり、固定ピン３０は、小さな外形を有するように構成される。固定ピン３０の外形Ｄ１に応じて、固定ピン３０を受け入れる貫通孔２０ａ及び貫通孔２０ｂの径も小さくすることができる。これにより、貫通孔２０ａ及び貫通孔２０ｂによる穂先竿２０の強度低下を抑制することができる。
【００５１】
上記の一実施形態において、釣糸結索部材１０に有底の凹部１０ｋが設けられており、固定ピン１３０が径方向において貫通孔１０ｈ、貫通孔２０ａ、貫通孔２０ｂ、及び凹部１０ｋ貫通孔１０ｈ、貫通孔２０ａ、及び凹部１０ｋを含む領域に延在している。これにより、釣糸結索部材１０を穂先竿２０に確実に固定でき、さらに釣糸結索部材１０の強度低下を抑制することができる。
【００５２】
上記の一実施形態において、穂先竿２０の内部には芯材６０が設けられている。この芯材６０には、貫通孔６０ａが形成されており、固定ピン３０は、この貫通孔６０ａにも挿入される。これにより、釣糸結索部材１０の穂先竿２０からの脱落をより確実に防止することができる。
【００５３】
上記の一実施形態においては、ネジ７０が釣糸結索部材１０に設けられたネジ穴１０ｊ及び穂先竿２０に設けられたネジ穴２０ｃに締結されている。これにより、釣糸結索部材１０及び穂先竿２０から脱落しにくいネジ７０によって、釣糸結索部材１０を穂先竿２０に固定することができる。
【００５４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５５】
１，２０１，３０１  釣竿
１０  釣糸結索部材
１０ａ  小径部
１０ｂ  竿ホルダー
１０ｃ  カラー
１０ｈ，１０ｉ  貫通孔
１０ｊ  ネジ穴
１０ｋ  凹部
２０  穂先竿
２０ａ，２０ｂ  貫通孔
２０ｃ  ネジ穴
３０，１３０  固定ピン
７０  ネジ
【図１】
2020048457.tif 000003
【図２】
2020048457.tif 000004
【図３】
2020048457.tif 000005
【図４】
2020048457.tif 000006
【図５】
2020048457.tif 000007